(57)【要約】      （修正有）【課題】医療現場における医療廃棄物用の容器の使い勝手を向上させる医療用トレーを提供する。【解決手段】使用済みの医療廃棄物を収容する容器本体３０、容器本体３０の開口部を覆い廃棄物を投入する投入口１１を有する中蓋１０、並びに、容器本体３０を持ち運ぶための回転可能な把手４０を備えた医療廃棄物用の容器１の容器本体３０の下部が嵌合する嵌合凹部７と、嵌合凹部７に隣り合い、使用予定又は未使用の医療用品を収容する収容凹部６と、嵌合凹部７に嵌り込んだ容器１が嵌合凹部７に固定されるように、把手４０が係合する係合部７１とを備える。【選択図】図１
0003189857.tif 000002
【実用新案登録請求の範囲】
【請求項１】
医療用品を持ち運ぶための医療用トレーであって、
使用済みの医療廃棄物を収容する容器本体、前記容器本体の開口部を覆い前記廃棄物を投入する投入開口を有する蓋、並びに、前記容器本体を持ち運ぶための回転可能な把手を備えた医療廃棄物用の容器の前記容器本体の下部が嵌合する嵌合凹部と、
前記嵌合凹部に隣り合い、使用予定又は未使用の医療用品を収容する収容凹部と、
前記嵌合凹部に嵌り込んだ前記容器が前記嵌合凹部に固定されるように、前記把手が係合する係合部とを備えた医療用トレー。
【請求項２】
前記トレーを持ち運ぶ際に指を掛ける一対の指掛用の貫通孔を備える請求項１に記載の医療用トレー。
【考案の詳細な説明】
【技術分野】
【０００１】
本考案は医療用トレーに関するものである。
【背景技術】
【０００２】
従来より、使用予定又は未使用の医療用品を搬送するための医療用トレーが用いられている（特許文献１）。一度使用された注射針は、院内感染を防ぐため、再度使用されることなく廃棄されている。使用済の注射針は患者から抜き取った後、その場で、直ちに医療廃棄物用の容器に廃棄される。かかる容器については、種々の提案がなされている（特許文献２）。
【先行技術文献】
【特許文献】
【０００３】
【特許文献１】ＪＰ２００２−１０２２５２Ａ（要約）
【特許文献２】ＪＰ２００８−１０９９８８Ａ（要約）
【考案の概要】
【０００４】
しかし、医療現場に向かう際に前記容器を持って行くのを忘れ、医療用トレーのみを持って行くことがある。
また、容器を現場で用いるには容器自体を搬送する必要がある。そこで、把手を設けた容器が存在するが、この場合でもトレーとは別に容器を搬送しなければならない、
また、搬送後に前記容器は、サイドテーブルやベッド上等に置かれるため、使用済の注射針等の廃棄時に容器が動いたり倒れたりしないように細心の注意を払いながら、医療行為を行うので、その作業性が低下する。
【０００５】
したがって、本考案の目的は医療現場における医療廃棄物用の容器の使い勝手を向上させる医療用トレーを提供することである。
【０００６】
本考案の医療用トレーは、使用済みの医療廃棄物を収容する容器本体、前記容器本体の開口部を覆い前記廃棄物を投入する投入開口を有する蓋、並びに、前記容器本体を持ち運ぶための回転可能な把手を備えた医療廃棄物用の容器の前記容器本体の下部が嵌合する嵌合凹部と、
前記嵌合凹部に隣り合い、使用予定又は未使用の医療用品を収容する収容凹部と、
前記嵌合凹部に嵌り込んだ前記容器が前記嵌合凹部に固定されるように、前記把手が係合する係合部とを備える。
【０００７】
本考案のトレーには前記容器の下部が嵌合する嵌合凹部が設けられているため、トレーと容器を同時に運ぶことができ、トレーのみを持って容器を持って行くのを失念するという事態を防止し易い。
【０００８】
特に、容器の把手をトレーの係合部に係合させると、嵌合凹部に緩く嵌り込んだ容器が底面積の大きいトレーに堅く固定される。したがって、医療廃棄物用の容器の使い勝手が著しく向上する。
【０００９】
好ましくは、前記トレーを持ち運ぶ際に指を掛ける一対の指掛用の貫通孔を備える。
【００１０】
この場合、一対の指掛孔に指を掛けることによりトレーを持ち運び易くなる。
【図面の簡単な説明】
【００１１】
【図１】図１は本考案の一実施例の容器をトレーに固定したユニットを示し、図１Ａは持ち運び状態を示すユニットの斜視図、図１Ｂは使用状態を示すユニットの斜視図である。
【図２】図２は容器とトレーを分解して示すユニットの斜視図である。
【図３】図３は蓋と容器本体とを分解して示す容器の斜視図である。
【図４】図４はトレーを底面側から見た斜視図である。
【図５】図５は把手が係合部に係合している状態を示すユニットの部分的な断面図である。
【実施例】
【００１２】
以下、本考案の一実施例を図面に従って説明する。
まず、本考案の医療用トレーの説明に先立って、トレーと共に用いる医療廃棄物用の容器について説明する。
【００１３】
図２および図３に明示するように、容器１は、容器本体３０、中蓋１０、外蓋２０および把手４０を備え、熱可塑性の合成樹脂で形成されている。なお、蓋は中蓋１０と外蓋２０とで形成される必要はなく、例えば、中蓋１０に相当する部分だけであってもよい。
【００１４】
前記容器本体３０は医療廃棄物を収容する有底の容器である。中蓋１０は前記容器本体３０の上方の開口３１を覆うと共に医療廃棄物を投入するための投入口１１を有する。前記外蓋２０は前記中蓋１０の前記投入口１１を閉塞する。
前記中蓋１０にはシリンジから注射針を外すための取り外し孔１４が形成されている。
【００１５】
なお、容器本体３０は略直方体形状で、４つの側面３２を有する。
【００１６】
前記容器本体３０には中蓋１０が固く嵌る鍔部３４と、把手４０の軸部４１が挿入される孔部３３を形成するボス部３５とが一体に形成されている。
【００１７】
前記中蓋１０と外蓋２０とは互いに一体に成形されており、かつ、前記容器本体３０とは別体である。前記外蓋２０は中蓋１０に対し、いわゆる樹脂ヒンジ１２を介して回転自在となっている。
【００１８】
前記把手４０は前記容器１を下げて持ち運ぶことを可能とする握り部４２と、当該握り部４２を容器本体３０に回転自在に支持する一対の孔部３３に挿入された軸部４１とが一体に形成されている。なお、前記軸部４１の先端には前記第１孔部３３に挿入された軸部４１が抜けるのを防止する径大部（図示せず）が一体に形成されている。
【００１９】
つぎに、本考案の要部である図２のトレー５について説明する。
トレー５は互いに隣り合う収容凹部６と嵌合凹部７とが熱可塑性の合成樹脂で一体に形成されている。
【００２０】
前記収容凹部６には使用予定又は未使用の医療用品（例えば注射針、シリンジ、テープなど）を収容する。一方、前記嵌合凹部７には、図１Ａおよび図５のように、医療廃棄物用の容器１の前記容器本体３０の下部が嵌合する。
【００２１】
図４Ａに示すように、前記収容凹部６および嵌合凹部７の底面６Ｆおよび７Ｆは、同一平面上に配置されており、前記底面６Ｆおよび７Ｆの面積の総和は、前記容器本体３０の底面積よりも大きい。
【００２２】
図１Ａの前記嵌合凹部７を形成する側壁７０の一つには、係合部７１が一体に形成されている。前記係合部７１は前記嵌合凹部７に嵌り込んだ前記容器１が前記嵌合凹部７に固定されるように、前記把手４０が係合する。
【００２３】
図５に示すように、本実施例の場合、前記係合部７１は、前記側壁７０から水平方向の外方に向かって突出する突出部７２と、該突出部７２の先端において下方に向かって突出して、把手４０の握り部４２に係合する係合凸部７３とを有する。
【００２４】
図５のように把手４０を係合部７１に係合させる際には、握り部４２を若干下方に引っ張りながら、把手４０の樹脂弾性により把手４０を弾性変形させて係合部７１に係合させる。これにより、容器本体３０が嵌合凹部７から上方に抜け出すのが防止されるだけでなく、容器本体３０の側面３２の下部が前記嵌合凹部７の側壁７０に押し付けられ、容器本体３０が嵌合凹部７に堅く固定される。
【００２５】
前記係合部７１の構造は図５の構造に限定されない。
たとえば、側壁７０に一対の突条を突出形成すると共に、当該突条の間に把手４０の握り部４２が堅く嵌り込む構造などを採用してもよい。
【００２６】
図２に示すように、前記トレー５の上縁５０には、例えば前記収容凹部６と嵌合凹部７との間に、一対の貫通孔５１が設けられていてもよい。貫通孔５１は、前記トレー５を持ち運ぶ際に指を掛ける一対の指掛用の孔となる。
【００２７】
つぎに、本ユニットの用い方について説明する。
本ユニットを用いるには、まず、図３の中蓋１０を容器本体３０に嵌め込んで、堅く固定し、ついで、図２のように外蓋２０が中蓋１０の投入口１１（図３）を覆った状態にする。その後、図１Ａのように容器本体３０をトレー５の嵌合凹部７に落とし込み、更に、把手４０の握り部４２を係合部７１に引っ掛ける。
【００２８】
使用者（一般に看護士）は、トレー５の収容凹部６に必要な医療器具（薬液入り注射器等）を入れ、トレー５の貫通孔５１に親指を引っ掛けて、容器１と共にトレー５を持ち運び医療現場に向かう。
【００２９】
現場に到着後、トレー５をテーブルなどの上に置き、図１Ｂのように外蓋２０を開く。その後、たとえば採血などの必要な医療行為を行い、医療行為の完了後、取り外し孔１４を用いて注射器本体から注射針を取り外し、又は、投入口１１からそのまま容器本体３０に投入する。
【００３０】
ここで、注射針を注射器本体から取り外すには、注射針を図１Ｂに示す取り外し孔１４の丸孔１４ａに矢印のように挿入した後、平行に移動させることで、注射針のフランジ部が溝１４ｂの両端に翼状に形成された両端部１４ｃに係合する。その後、注射器全体を倒すと、前記両端部１４ｃに係合している注射針が注射器本体から抜け落ち、容器本体３０内に注射針が落下する。
しかし、仮に容器１がトレー５に嵌り込んでいないと、注射器を倒す際に容器１全体が傾いて倒れるのを防止するために、前記容器１を片方の手でしっかりと保持する必要があり作業性が低い。また、前記容器１をワゴン上に載置して院内を移動する場合、該容器１が転倒するおそれがある。
【００３１】
これに対し、本ユニットでは、容器１がトレー５に嵌り込んだ上に、更に、容器１がトレー５に固定されているから、作業性が著しく向上する。
【００３２】
図１Ｂの容器本体３０が廃棄物を所定量収容した後、外蓋２０を中蓋１０に向かって回転させて図１Ａの閉じた状態とし、更に、把手４０を係合部７１から取り外す。その後、容器１をトレー５から上方に向かって取り出す。
【００３３】
この際、容器１はトレー５の嵌合凹部７に緩く嵌り込んでおり、容器１やトレー５が踊るおそれもない。
【産業上の利用可能性】
【００３４】
本考案のトレーは医療用品を持ち運ぶのに用いることができる。
【符号の説明】
【００３５】
１：容器 １０：中蓋  １１：投入口  １２：樹脂ヒンジ  １４：取り外し孔  
１４ａ：丸孔  １４ｂ：溝  １４ｃ：両端部
２０：外蓋
３０：容器本体   ３１：開口  ３２：側面  ３３：孔部  ３４：鍔部  ３５：ボス部
４０：把手  ４１：軸部  ４２：握り部
５：トレー  ５０：上縁  ５１：貫通孔 
６：収容凹部  ６Ｆ：底面
７：嵌合凹部  ７Ｆ：底面  ７０：側壁  ７１：係合部  ７２：突出部  ７３：係合凸部  
【図１】
0003189857.tif 000003
【図２】
0003189857.tif 000004
【図３】
0003189857.tif 000005
【図４】
0003189857.tif 000006
【図５】
0003189857.tif 000007